(57)【要約】【課題】本発明は、集水機能と貯水機能を備えた発泡スチロールを用いた雨水貯留タンクを提供する。【解決手段】発泡スチロール1で成形した、上下床板の四隅を柱で支えた形状の雨水貯留タンク主材2、該雨水貯留タンク主材2と雨水集水装置3を内蔵した雨水集水成形材4を連結部材5と止水目地材6を用いて、設置基盤7の上に連結敷設して貯留槽8の体型を構成し、さらに、排水溝9の形状を有する上下床板の二隅を柱で支えて片面を壁で塞いだ形状の雨水貯留タンクの側材10を連結敷設して側面を構成する。四隅のコーナーは排水溝9の形状を有する上下床板の一隅を柱で支えて二面を壁で塞いだ形状の雨水貯留タンクのコーナー材11で塞いで成る雨水貯留タンク12、該雨水貯留タンク12に設けた雨水集水装置3の給水口13から給水管14で給水ポンプ15に接続して雨水貯留タンク12内の雨水16を給水する発泡スチロールを用いた雨水貯留タンク。【選択図】  図1
2017226995.tif 000002
【特許請求の範囲】
【請求項１】
発泡スチロールで成形した、上下床板の四隅を柱で支えた形状の雨水貯留タンク主材、該雨水貯留タンク主材と雨水集水装置を内蔵した雨水集水成形材を連結部材と止水目地材を用いて、設置基盤の上に連結敷設して貯留槽の体型を構成し、さらに、排水溝の形状を有する上下床板の二隅を柱で支えて片面を壁で塞いだ形状の雨水貯留タンクの側材を連結敷設して側面を構成する。四隅のコーナーは排水溝の形状を有する上下床板の一隅を柱で支えて二面を壁で塞いだ形状の雨水貯留タンクのコーナー材で塞いで成る雨水貯留タンク、該雨水貯留タンクに設けた雨水集水装置の給水口から給水管で給水ポンプに接続して雨水貯留タンク内の雨水を給水することを特徴とする発泡スチロールを用いた雨水貯留タンク。
【請求項２】
前記、雨水貯留タンク主材、雨水集水成形材、雨水貯留タンクの側材、雨水貯留タンクのコーナー材の全てに連結溝と止水目地を設けて、接続面の連結と止水ができる形状としたことを特徴とする請求項１に記載の発泡スチロールを用いた雨水貯留タンク。
【請求項３】
前記、雨水貯留タンク主材、雨水集水成形材、雨水貯留タンクの側材、雨水貯留タンクのコーナー材の組合せの数量によって、大小様々な形状と貯水量が得られることを特徴とする請求項１〜2に記載の発泡スチロールを用いた雨水貯留タンク。
【請求項４】
前記、雨水貯留タンク主材、雨水集水成形材、雨水貯留タンクの側材、雨水貯留タンクのコーナー材を組合せることによって、集水機能と貯水機能を備えた雨水貯留タンクになることを特徴とする請求項１〜3に記載の発泡スチロールを用いた雨水貯留タンク。
【発明の詳細な説明】
【技術分野】
【０００１】
本発明は、集水機能と貯水機能を備えた発泡スチロールを用いた雨水貯留タンクに関する。
【背景技術】
【０００２】
近年、地球温暖化や異常気象等による降雨量不足が問題となっている。渇水期には、上水道による生活用水の給水が制限されて生活に支障を来たすことがあり、全国自治体も雨水貯留タンクの設置による雨水利用に対して補助金制度を整備するところが増えるなど、雨水貯留タンクの設置が見直されている。他方、壊滅的な被害を蒙った東北被災地の復興や熊本大震災の復興、さらに、南海トラフの巨大地震・東京直下型地震等、何時どこで発生するか分からない災害によるインフラ停止時の備えが求められている。特に生活用水の確保は必須で大容量の雨水貯留タンクの開発が求められている。
【０００３】
一般に、雨水を有効利用するための雨水貯留タンクの大半は、地盤面に設置し縦樋を接続して雨水を貯留している。雨水の利用目的も草花や植木の散水などの他に庭の撒き水や災害時の非常用水などの備えとして利用されている。また、地下に埋設する大掛かりな貯留水槽や基礎地盤改良工法に用いるスラブ床内に埋設したパイプを貯留水槽とする開発(登録実用新案第3063325号広報)がなされている。
【０００４】
本発明者も鉄筋コンクリートスラブ内における雨水貯留構造(特許第5360446号)を発明している。
【０００５】
現在、一般住宅などに用いられている雨水貯留タンクは、貯水容量が小さく雨水の有効利用が制限されている。また、雨水貯留タンクは架台の上に設置して建物に固定しているが雨水貯留タンクの設置場所が必要である。さらに、雑用水に利用するための揚水ポンプを必要としている。
【０００６】
また、建物構造体と一体化した雨水貯留タンク(特表平10-507237)も考案されている。
【０００７】
上記の通り、多種多様な雨水貯留タンクが開発されているが一般に普及しないのが現状である。しかしながら、渇水時や地震等の災害によりインフラが停止した場合でも水洗便器が使用できるなどの生活用水の備えは必須であり雨水の有効利用は大切である。
【０００８】
その他、本願発明に関連する公知技術として次の特許文献を挙げることができる。
【先行技術文献】
【特許文献】
【０００９】
【特許文献１】無し
【００１０】
【非特許文献１】無し
【発明の開示】
【発明が解決しようとする課題】
【００１１】
従来の雨水を有効利用するための雨水貯留タンクや給水システムには、次のような問題点がある。
【００１２】
日本の住宅地は狭く、雨水を有効利用するための雨水貯留タンクを設置するスペースの確保が困難であるとともに、一般住宅などの雨水貯留タンクは貯水容量が小さく雨水の有効利用の範囲が制限されている。また、雨水貯留タンクは架台の上に設置して外壁に転倒防止の固定をしているが、現状の外壁に強固に固定することは困難である。
【００１３】
また、地盤面に設置し縦樋を接続して貯留している雨水貯留タンクは揚水能力がなく、揚水ポンプを使用しなければトイレなどの雑用水には使用できない。しかも、電気などの動力を必要とすることから、地震等の災害によるインフラ停止時には対応はできないなどの問題がある。
【００１４】
上記の問題を解決する考案もされている。例えば、構築物の外壁に取付けられた建築物の軒先に取付け可能に構成された、雨水導入口を上面に形成され、雨水供給口が底部側に形成された雨水の貯水層(特開2001-173027)や建物構造体と一体化した雨水貯留タンク(特表平10-507237)があるが、いずれも、実用化するには複雑さとコスト面での問題がある。また、登録実用新案第3063325号広報は、基礎のスラブ内に多数並列したパイプの両端を通水用の管寄せで連通して雨水貯留水槽としているため、両端の通水用の管寄せで連通している部分が、コンクリートスラブ外に露出しているため、災害に強い雨水貯留水槽として利用できない問題がある。さらに、本発明者が開発した複数の補強仕切り板を有する軒樋付雨水貯留タンク(特願2009−265850)もあるがコスト面での問題がある。
【００１５】
他方、壊滅的な被害を蒙った東北被災地の復興や南海トラフの巨大地震・東京直下型地震等で被害が予測される地域、さらに、日本全国市町村は全ての災害に耐えられる強固な構築物での防災化を迅速に推進しなければならない現状にあるなかで、いずれの雨水貯留タンクも防災構築物に対応ができない問題がある。
【００１６】
雨水貯留タンクに集めた雨水を利用すれば水道料金や下水道料金が節約できる。さらに、貯水ダム工事も中止される時代、多種多様な構築物に雨水貯留タンクが設置されれば節水だけでなく、集中豪雨などの際の雨水流出抑制にも寄与できる。他方、雨水を大切に有効活用する社会を構築するためには、既設建物に課せられた積雪荷重が軽減できる雨水貯留タンクの開発が求められている。
【００１７】
本発明は、このような点に鑑みて成されたものであり、天からの恵の雨水を大切に活用する社会を構築するために、既設建物に課せられた積雪荷重を散水で積雪を低減、さらに、広い面積で荷重を低減する分布荷重を適用した発泡スチロールを用いた雨水貯留タンクを提供するものである。
【課題を解決するための手段】
【００１８】
この発明は、上記の課題を解決するためになされたもので、発泡スチロールで成形した、上下床板の四隅を柱で支えた形状の雨水貯留タンク主材、該雨水貯留タンク主材と雨水集水装置を内蔵した雨水集水成形材を連結部材と止水目地材を用いて、設置基盤の上に連結敷設して貯留槽の体型を構成し、さらに、排水溝の形状を有する上下床板の二隅を柱で支えて片面を壁で塞いだ形状の雨水貯留タンクの側材を連結敷設して側面を構成する。四隅のコーナーは排水溝の形状を有する上下床板の一隅を柱で支えて二面を壁で塞いだ形状の雨水貯留タンクのコーナー材で塞いで成る雨水貯留タンク、該雨水貯留タンクに設けた雨水集水装置の給水口から給水管で給水ポンプに接続して雨水貯留タンク内の雨水を給水することを特徴とする発泡スチロールを用いた雨水貯留タンク（請求項１）を提供する。
【００１９】
前記、雨水貯留タンク主材、雨水集水成形材、雨水貯留タンクの側材、雨水貯留タンクのコーナー材の全てに連結溝と止水目地を設けて、接続面の連結と止水ができる形状としたことを特徴とする請求項１に記載の発泡スチロールを用いた雨水貯留タンク（請求項2）を提供する。
【００２０】
前記、雨水貯留タンク主材、雨水集水成形材、雨水貯留タンクの側材、雨水貯留タンクのコーナー材の組合せの数量によって、大小様々な形状と貯水量が得られることを特徴とする請求項１〜2に記載の発泡スチロールを用いた雨水貯留タンク（請求項3）を提供する。
【００２１】
前記、雨水貯留タンク主材、雨水集水成形材、雨水貯留タンクの側材、雨水貯留タンクのコーナー材を組合せることによって、集水機能と貯水機能を備えた雨水貯留タンクになることを特徴とする請求項１〜3に記載の発泡スチロールを用いた雨水貯留タンク（請求項4）を提供する。
【発明の効果】
【００２２】
本発明の特筆すべき大きな効果を列挙する。
イ）各構成部材の数量変更で様々な容量の雨水貯留タンクを実現。
ロ）各構成部材の数量変更で様々な形状の雨水貯留タンクを実現。
ハ）雨水貯留タンクを屋上に設置することで屋上の断熱化を実現。
二）雨水貯留タンクを屋上に設置することで地球温暖化防止実現。
ホ）発砲スチロールで作ることで最軽量の雨水貯留タンクを実現。
へ）発砲スチロールで作ることで低価格な雨水貯留タンクを実現。
ト）積雪荷重の適用で既設建物に搭載可の雨水貯留タンクを実現。
チ）散水機能の付加によって豪雪地域の既設建物に太陽光発電実現。
リ）散水機能を付加することで豪雪地域の積雪荷重と除雪作業軽減。
ヌ）集水機能と貯水機能と給水機能を備えた雨水貯留タンクを実現。
【００２３】
以上で説明したように、請求項１に係る発明によれば、発泡スチロールで成形した、上下床板の四隅を柱で支えた形状の雨水貯留タンク主材、該雨水貯留タンク主材と雨水集水装置を内蔵した雨水集水成形材を連結部材と止水目地材を用いて、設置基盤の上に連結敷設して貯留槽の体型を構成し、さらに、排水溝の形状を有する上下床板の二隅を柱で支えて片面を壁で塞いだ形状の雨水貯留タンクの側材を連結敷設して側面を構成する。四隅のコーナーは排水溝の形状を有する上下床板の一隅を柱で支えて二面を壁で塞いだ形状の雨水貯留タンクのコーナー材で塞いで成る雨水貯留タンク、該雨水貯留タンクに設けた雨水集水装置の給水口から給水管で給水ポンプに接続して雨水貯留タンク内の雨水を給水することによって、集水機能と貯水機能と給水機能を備えた雨水貯留タンクが実現できる。
【００２４】
請求項２に係る発明によれば、前記、雨水貯留タンク主材、雨水集水成形材、雨水貯留タンクの側材、雨水貯留タンクのコーナー材の全てに連結溝と止水目地を設けて、接続面の連結と止水ができる形状としたことで雨水貯留タンクが容易に構築できる。
【００２５】
請求項３に係る発明によれば、前記、雨水貯留タンク主材、雨水集水成形材、雨水貯留タンクの側材、雨水貯留タンクのコーナー材の組合せの数量によって、大小様々な形状と貯水量の雨水貯留タンクが容易に構築できる。
【００２６】
請求項4に係る発明によれば、前記、雨水貯留タンク主材、雨水集水成形材、雨水貯留タンクの側材、雨水貯留タンクのコーナー材を組合せることによって、集水機能と貯水機能を備えた雨水貯留タンクが容易に構築できる。
【発明を実施するための最良の形態】
【００２７】
以下に、本発明の実施形態は添付図面を参照しつつ詳細に説明する。
【００２８】
図１は、本発明に係る発泡スチロールを用いた雨水貯留タンクの平面図。図2は、図１のA〜A'の断面図。図3は、図１のB〜B'の断面図。図4は、図１のC部を拡大した平面詳細図。図5は、図2のD部を拡大した断面詳細図。図6は、図3のE部を拡大した断面詳細図。図7は、発泡スチロール1で成形した、上下床板の四隅を柱で支えた形状の雨水貯留タンク主材の平面詳細図。図8は、発泡スチロール1で成形した、上下床板の四隅を柱で支えた形状の雨水貯留タンク主材の断面詳細図。
【００２９】
本発明の実施形態を図面で説明すれば、図１は、発泡スチロール1で成形した、上下床板の四隅を柱で支えた形状の雨水貯留タンク主材2、該雨水貯留タンク主材2と雨水集水装置3を内蔵した雨水集水成形材4を連結部材5と止水目地材6を用いて、設置基盤7の上に連結敷設して貯留槽8の体型を構成し、さらに、排水溝9の形状を有する上下床板の二隅を柱で支えて片面を壁で塞いだ形状の雨水貯留タンクの側材10を連結敷設して側面を構成する。四隅のコーナーは排水溝9の形状を有する上下床板の一隅を柱で支えて二面を壁で塞いだ形状の雨水貯留タンクのコーナー材11で塞いで成る雨水貯留タンク12、該雨水貯留タンク12に設けた雨水集水装置3の給水口13から給水管14で給水ポンプ15に接続して雨水貯留タンク12内の雨水16が給水できる。本発明に係る発泡スチロールを用いた雨水貯留タンクの平面図である。
【００３０】
図２は、図１のA〜A'の断面図である。
【００３１】
図３は、図１のB〜B'の断面図である。
【００３２】
図４は、図１のC部を拡大した平面詳細図である。
【００３３】
図5は、図2のD部を拡大した断面詳細図である。
【００３４】
図6は、図3のE部を拡大した断面詳細図である。
【００３５】
図7は、発泡スチロール1で成形した、上下床板の四隅を柱で支えた形状の雨水貯留タンク主材の平面詳細図である。
【００３６】
図8は、発泡スチロール1で成形した、上下床板の四隅を柱で支えた形状の雨水貯留タンク主材の断面詳細図である。
【００３７】
以上、図面について説明したが、本発明は、従来のように狭い面積で高さの高い貯水槽では集中荷重となることから既設建物への搭載が困難であった。他方、高さを低くして広い面積の貯水槽にすることで、構造計算基準で課せられた積雪荷重を活用して、散水による積雪の低減と広い面積での分布荷重を適用する雨水貯留タンクにすることで、既設建物を含む全ての構築物への搭載が可能となる。さらに、高度な技能を必要とすることなく多能工でも迅速且つ安全で容易に構築できることを目的としたものである。
【００３８】
さらに、本発明で使用する発泡スチロールは断熱性能が高く、雨水貯留タンクを建物の屋上に設置した場合は屋上の断熱材の役割を果たす効果があるとともに、地球温暖化問題などの課題解決に貢献できる。
【実施例１】
【００３９】
図1を参照に、設置場所を水平にした建物の屋根又は屋上を設置基盤7として、該設置基盤7の上に発泡スチロール1（500ｍｍ×500ｍｍ×300ｍｍ）で成形した、複数の雨水貯留タンク主材2を連結部材5と止水目地材6を用いて連結敷設する。その外周に、雨水集水装置3を内蔵した雨水集水成形材4と複数の雨水貯留タンクの側材10を連結して貯留槽8の体型を構成する。さらに、四隅のコーナーを雨水貯留タンクのコーナー材11で塞いで成る雨水貯留タンク12、該雨水貯留タンク12に設けた雨水集水装置3の給水口13から給水管14で設置基盤7上に設置した給水ポンプ15に接続することによって、集水機能と貯水機能と給水機能を備えた雨水貯留タンク12が容易に構築できるとともに多目的な雨水利用が可能となる。他方、雨水貯留タンク12は建物の屋上の断熱材となる大きな効果が得られる。
【実施例２】
【００４０】
請求項２に係る発明によれば、発泡スチロール1（500ｍｍ×500ｍｍ×300ｍｍ）で成形する、雨水貯留タンク主材2、雨水集水成形材4、雨水貯留タンクの側材10、雨水貯留タンクのコーナー材11の全てに30ｍｍ厚の連結溝17と止水目地18を設けることで、接続面の連結と止水が容易に構築できる。
【実施例３】
【００４１】
請求項３に係る発明によれば、発泡スチロール1（500ｍｍ×500ｍｍ×300ｍｍ）で成形した、雨水貯留タンク主材2、雨水集水成形材4、雨水貯留タンクの側材10、雨水貯留タンクのコーナー材11の組合せの数量を変えることで、大小様々な形状と貯水量の雨水貯留タンクが容易に構築できる。
【実施例４】
【００４２】
請求項4に係る発明によれば、発泡スチロール1（500ｍｍ×500ｍｍ×300ｍｍ）で成形した、雨水貯留タンク主材2、雨水集水成形材4、雨水貯留タンクの側材10、雨水貯留タンクのコーナー材11を組合せることによって、集水機能と貯水機能を備えた雨水貯留タンクが容易に構築できる。
【００４３】
実施例1〜4によって
イ）各構成部材の数量変更で様々な容量の雨水貯留タンクを実現。
ロ）各構成部材の数量変更で様々な形状の雨水貯留タンクを実現。
ハ）雨水貯留タンクを屋上に設置することで屋上の断熱化を実現。
二）雨水貯留タンクを屋上に設置することで地球温暖化防止実現。
ホ）発砲スチロールで作ることで最軽量の雨水貯留タンクを実現。
へ）発砲スチロールで作ることで低価格な雨水貯留タンクを実現。
ト）積雪荷重の適用で既設建物に搭載可の雨水貯留タンクを実現。
チ）散水機能の付加によって豪雪地域の既設建物に太陽光発電実現。
リ）散水機能を付加することで豪雪地域の積雪荷重と除雪作業軽減。
ヌ）集水機能と貯水機能と給水機能を備えた雨水貯留タンクを実現。
これらが可能となる。
【実施例５】
【００４４】
実施例1で示した、雨水貯留タンク12の雨水貯留タンク主材2に太陽光発電パネル22を装着して、散水装置23を設けて雨水貯留タンク12上へ散水することによって、豪雪地帯の太陽光発電が可能となる。さらに、災害によるインフラ停止時にも対応ができる雨水貯留タンク12となる。
【００４５】
なお、この発明において、実施例や図面に示した寸法や各部材は、一例を示したものであり、同様の機能を果たす公知の他の寸法部材に置き換えることは可能である。例えば発砲スチロールの厚さや形状や大きさも自由に設定ができる。さらに、連結溝と連結部材・止水目地と止水目地材についても自由に設定ができるとともに発明を支障なく実施することができる。
【産業上の利用可能性】
【００４６】
災害多発国日本に於いて、被害が予測される南海トラフ巨大地震・東京直下型地震・豪雪・豪雨災害等によるインフラ停止に備えた防災設備が問われている。特に水洗トイレが普及している今日、水の無い生活は不可能であることは周知の通りである。近年、地球温暖化や異常気象による降雨量不足による水不足が危惧されているなかに於いて、集水機能・貯水機能・給水機能等を備えた雨水貯留タンクを全ての構築物に設置することは地球温暖化防止や集中豪雨の雨水流出抑制の観点からしても大切である。他方、防災とインフラ停止を考慮した雨水貯留タンクの市場は、既設建物から新築構築物に至る全ての構築物に搭載できる無限の可能性を秘めている。
【図面の簡単な説明】
【００４７】
【図１】本発明に係る発泡スチロールを用いた雨水貯留タンクの平面図。
【図２】図１のA〜A'の断面図。
【図３】図１のB〜B'の断面図。
【図４】図１のC部を拡大した平面詳細図。
【図５】図2のD部を拡大した断面詳細図。
【図６】図3のE部を拡大した断面詳細図。
【図７】発泡スチロール1で成形した、上下床板の四隅を柱で支えた形状の雨水貯留タンク主材の平面詳細図。
【図８】発泡スチロール1で成形した、上下床板の四隅を柱で支えた形状の雨水貯留タンク主材の断面詳細図。
【符号の説明】
【００４８】
1.発泡スチロール
2.雨水貯留タンク主材
3.雨水集水装置
4.雨水集水成形材
5.連結部材
6.止水目地材
7.設置基盤
8.貯留槽
9.排水溝
10.雨水貯留タンクの側材
11.雨水貯留タンクのコーナー材
12.雨水貯留タンク
13.給水口
14.給水管
15.給水ポンプ
16.雨水
17.連結溝
18.止水目地
19.集水ドレーン
20.点検蓋
21.ビス
22.太陽光発電パネル
23.散水装置
【図１】
2017226995.tif 000003
【図２】
2017226995.tif 000004
【図３】
2017226995.tif 000005
【図４】
2017226995.tif 000006
【図５】
2017226995.tif 000007
【図６】
2017226995.tif 000008
【図７】
2017226995.tif 000009
【図８】
2017226995.tif 000010